(57)【要約】【課題】貯水室に供給された冷水が、貯水室の出湯部付近の温水と直ぐに混じることが抑制され、出湯部から吐出される温水の持続効果を高めるのに有利な局部洗浄装置用の温水タンク装置を提供する。【解決手段】温水タンク装置は、貯水室２１を有するタンク本体２２と貯水室２１の開口２０を閉鎖する閉鎖蓋２３とをもつタンク２と、貯水室２１の水を加熱して温水とするヒータ３と、貯水室２１の温水を吐出する出湯部４と、閉鎖蓋２３に設けられた貯水室２１に給水する給水部５とを備える。給水部５は、タンク本体２２のうち閉鎖蓋２３に対向する壁部分に向けて閉鎖蓋２３から延設された給水通路５１と、給水通路５１の先端に形成され貯水室２１に対向する給水口５７とをもつ。タンク２を高さ方向に沿って切断した図において、給水部５の給水口５７は、出湯部４に対して対角位置に配置されている。【選択図】図１
2008050780.tif 000002
【特許請求の範囲】
【請求項１】
（ｉ）開口をもつと共に水が貯まる貯水室を有するタンク本体と前記タンク本体の前記貯水室の開口を閉鎖する閉鎖蓋とをもつタンクと、（ｉｉ）前記タンクに設けられ前記貯水室の水を加熱して温水とするヒータと、（ｉｉｉ）前記閉鎖蓋に設けられた前記貯水室に対面する出湯口をもち前記出湯口から局部洗浄部に向けて吐出する出湯部と、（ｉｖ）前記閉鎖蓋に設けられた前記貯水室に給水する給水部とを具備する局部洗浄装置用の温水タンク装置において、
（ｖ）前記給水部は、前記タンク本体のうち前記閉鎖蓋に対向する壁部分に向けて前記閉鎖蓋から延設された給水通路と、前記給水通路の先端に形成され前記貯水室に対向する給水口とをもち、
（ｖｉ）前記タンクを高さ方向に沿って切断した図において、前記給水部の前記給水口は、前記貯水室において前記出湯部の前記出湯口に対して対角位置で且つ前記出湯部の前記出湯口の下方に配置されていることを特徴とする局部洗浄装置用の温水タンク装置。
【請求項２】
請求項１において、前記タンクは横長形状であり、前記給水口は、前記給水口の中心線またはこれの延長線と前記タンク本体の底壁とが交差するように、前記タンク本体の底壁に対向しつつ接近していることを特徴とする局部洗浄装置用の温水タンク装置。
【請求項３】
請求項１または２において、前記貯水室の水を排出するドレン通路が設けられており、前記ドレン通路は前記貯水室に対向するドレン吸込口をもつことを特徴とする局部洗浄装置用の温水タンク装置。
【請求項４】
請求項３において、前記タンクは、前記タンクの横方向に沿って配向する中心線が仮想水平線に対して傾斜するように配置されており、傾斜前よりも、前記閉鎖蓋が相対的に上側に且つ前記ドレン通路の前記ドレン吸込口が相対的に下側に位置するように設定されていることを特徴とする局部洗浄装置用の温水タンク装置。
【請求項５】
請求項１〜４のうちのいずれか一項において、前記タンク本体は真空状の断熱層をもつことを特徴とする局部洗浄装置用の温水タンク装置。
【請求項６】
請求項３〜５のうちのいずれか一項において、前記給水通路は給水管で形成されており、前記ドレン通路はドレン管で形成されており、前記給水管及び前記ドレン管のうちの少なくとも一方は、当該一方の長さ方向に沿って側方に延設されたフランジ状または羽根状の邪魔板部材をもつことを特徴とする局部洗浄装置用の温水タンク装置。
【請求項７】
請求項１〜６のうちのいずれか一項において、前記ヒータは、これの先端部が前記タンク本体のうち前記閉鎖蓋に対向する壁部分に接近するにつれて、下降傾斜するように配置されていることを特徴とする局部洗浄装置用の温水タンク装置。
【発明の詳細な説明】
【技術分野】
【０００１】
本発明は局部洗浄装置用の温水タンク装置に関する。
【背景技術】
【０００２】
人体の局部を温水で洗浄する装置が提供されている。この装置では温水を貯める貯水室をもつ温水タンク装置が装備されている。温水タンク装置として、横側方に開口をもつ貯水室を有するタンク本体と貯水室の開口を閉鎖する閉鎖蓋とをもつタンクと、貯水室の水を加熱して温水とするヒータと、貯水室の温水を局部洗浄部に向けて吐出する出湯部と、貯水室に給水する給水部とを備えるものが知られている（特許文献１）。このものによれば、タンク本体の貯水室の開口を閉鎖する閉鎖蓋に、ヒータ、出湯部、給水部が取り付けられている。更に、タンク本体は真空状の断熱層を有する二重構造とされており、保温効果が優れている。
【特許文献１】特開２００１−３３６２０１号公報
【発明の開示】
【発明が解決しようとする課題】
【０００３】
特許文献１に係る技術によれば、タンク本体の貯水室の開口を閉鎖する閉鎖蓋に、ヒータ、出湯部、給水部が取り付けられている。このため冷水を貯水室に供給する給水位置と、貯水室の温水を局部洗浄部に供給する出湯位置の双方が閉鎖蓋に配置され、同一側に配置されている。従って、貯水室に供給された冷水が、貯水室の出湯部付近の温水と直ぐに混じり易い。この場合、充分な温水持続効果が得られないおそれがある。
【０００４】
本発明は上記した実情に鑑みてなされたものであり、貯水室に供給された冷水が、貯水室の出湯部付近の温水と直ぐに混じることが抑制され、出湯部から吐出される温水の持続効果を高めるのに有利な局部洗浄装置用の温水タンク装置を提供することを課題とする。
【課題を解決するための手段】
【０００５】
（１）様相１に係る局部洗浄装置用の温水タンク装置は、（ｉ）開口をもつと共に水が貯まる貯水室を有するタンク本体とタンク本体の貯水室の開口を閉鎖する閉鎖蓋とをもつタンクと、（ｉｉ）タンクに設けられ貯水室の水を加熱して温水とするヒータと、（ｉｉｉ）閉鎖蓋に設けられた貯水室に対面する出湯口をもち出湯口から局部洗浄部に向けて吐出する出湯部と、（ｉｖ）閉鎖蓋に設けられた貯水室に給水する給水部とを具備する局部洗浄装置用の温水タンク装置において、
（ｖ）給水部は、タンク本体のうち閉鎖蓋に対向する壁部分に向けて閉鎖部から延設された給水通路と、給水通路の先端に形成され貯水室に対向する給水口とをもち、（ｖｉ）タンクを高さ方向に沿って切断した図において、給水部の給水口は、貯水室において出湯部に対して対角位置で且つ出湯部の出湯口の下方に配置されていることを特徴とする。
【０００６】
この場合、給水部の給水口は貯水室に対向するため、冷水は給水部の給水口から貯水室に供給される。タンクに貯められている水は、ヒータにより加熱されて温水となる。貯水室の温水は、貯水室に対面する出湯口から局部洗浄部に向けて吐出され、人体の局部洗浄に使用される。従って貯水室に貯められている温水のうち、出湯部の出湯口側の温水が局部洗浄部に優先的に供給される。
【０００７】
タンクを高さ方向に沿って切断した図において、給水部の給水口は、貯水室において出湯部の出湯口に対して対角位置で且つ出湯部の出湯口の下方に配置されている。このため、冷水が給水部の給水口から貯水室に供給されるにあたり、冷水は貯水室において出湯部の出湯口から遠い位置に供給される。このため、貯水室に貯められている出湯部の出湯口側の暖かい温水（局部洗浄部に向けて優先的に供給される）と、給水口から新しく貯水室に供給された冷水とが混ざることが抑制される。故に、温水が出湯部から持続的に吐出される温水持続時間を増加させるのに貢献できる。
【０００８】
（２）様相２に係る局部洗浄装置用の温水タンク装置によれば、上記様相において、タンクは横長形状であり、給水口は、給水口の中心線またはこれの延長線とタンク本体の底壁とが交差するように、タンク本体の底壁に対向しつつ接近していることを特徴とする。タンクは横長形状であるため、タンクの高さ方向の大型化が抑えられる。給水口の中心線またはこれの延長線とタンク本体の底壁とが交差するように、給水口はタンク本体の底壁に対向しつつ接近している。このため給水口から貯水室に供給される冷水は、タンクの底壁に当たるので、冷水の速度は減速される。このため冷水が急激に貯水室に流入することが抑制され、冷水が貯水室の全体に早期に行き渡ることが抑制される。よって、貯水室に貯められている出湯部の出湯口側の暖かい温水（局部洗浄部に向けて優先的に供給される）の温度を維持するのに有利となる。給水口がタンク本体の底壁に対向しつつ接近する接近距離としては、貯水室の容積などによっても相違し、特に限定されるものではないが、給水口から貯水室に供給される水がタンク本体の底壁に当たり、水の速度を減衰させ得る距離であれば良い。
【０００９】
（３）様相３に係る局部洗浄装置用の温水タンク装置によれば、上記様相において、貯水室の水を排出するドレン通路が設けられており、ドレン通路は貯水室に対面するドレン吸込口をもつことを特徴とする。この場合、貯水室の水をドレン吸込口から吸い込み、ドレン通路を介して水排出場所に排出させることができる。ドレン吸込口は、給水通路の給水口と兼用されていることが好ましい。部品点数が削減される。このため給水口がタンク本体の底壁に対向しつつ接近している場合には、ドレン吸込口も同様に、タンク本体の底壁に対向しつつ接近しており、タンク本体の底壁付近の水をドレンさせることができる。
【００１０】
（４）様相４に係る局部洗浄装置用の温水タンク装置によれば、タンクは、タンクの横方向に沿って配向する中心線が仮想水平線に対して傾斜するように配置されており、傾斜前よりも、閉鎖蓋が相対的に上側に且つドレン通路のドレン吸込口が相対的に下側に位置するように設定されていることを特徴とする。この場合、傾斜前に比較して、閉鎖蓋が相対的に上側に且つドレン通路のドレン吸込口が相対的に下側に位置する。このようにドレン通路のドレン吸込口が下側に位置するため、タンク本体の底壁付近の水をドレンさせるのに有利となり、ドレン時に貯水室に残留する水量を少なくするのに有利となる。
【００１１】
更に、傾斜により、閉鎖蓋が相対的に上側に且つドレン通路のドレン吸込口が相対的に下側に位置するため、ドレン吸込口に作用する水圧が増加する。よって水圧を利用して貯水室の水をドレン通路を介してドレンする場合に、ドレン吸込口からの吸い込み性を高めることができ、ドレン性を向上させることができる。
【００１２】
（５）様相５に係る局部洗浄装置用の温水タンク装置によれば、給水通路は給水管で形成されており、ドレン通路はドレン管で形成されており、給水管及びドレン管のうちの少なくとも一方は、当該一方の長さ方向に沿って側方に延設されたフランジ状または羽根状の邪魔板部材をもつことを特徴とする。この場合、貯水室の底壁側の冷水と貯水室の上部の温水（出湯部付近の温水）とが混じることが邪魔板部材により一層抑制されている。温水持続効果を高めるのに有利となる。
【発明の効果】
【００１３】
本発明によれば、タンクを高さ方向に沿って切断した図において、給水部の給水口は、出湯部の出湯口に対して対角位置に配置されている。このため貯水室に供給された冷水が、貯水室の出湯部付近の温水とが直ぐに混じることが抑制される。故に、局部を洗浄する洗浄処理の際に、温水タンク装置の温水持続効果を高めるのに有利となる。
【発明を実施するための最良の形態】
【００１４】
（実施形態１）
本発明の実施形態を図１〜図５参照して説明する。洋式の便器には、人体の局部を洗浄する局部洗浄装置が設けられている。温水タンク装置１は、局部洗浄装置に搭載されている。温水タンク装置１は、タンク２と、ヒータ３と、出湯部４と、給水部５とを備えている。
【００１５】
図１に示すように、タンク２は、水が貯まる貯水室２１を有する横長な容器状をなす。タンク２は、横側方が開放された開口２０をもつ貯水室２１を備える周壁２５２５をもつタンク本体２２と、タンク本体２２の貯水室２１の開口２０を密閉状に閉鎖する閉鎖蓋２３とをもつ。タンク本体２２のうち、閉鎖蓋２３および開口２０と反対側の壁部分は、閉止壁２４とされている。閉鎖蓋２３は、タンク２の開口２０に嵌合する嵌合突出部２３ｒをもつ。
【００１６】
図１に示すように、タンク本体２２は、外タンク２ｐと、外タンク２ｐ内に配置された内タンク２ｉと、内タンク２ｉと外タンク２ｐとの間に介在する断熱層２８とをもつ。断熱層２８内の空気は大気よりも減少しており、従って断熱層２８の内部は減圧状態とされており、断熱性を高めるためには真空度が高い方が好ましい。断熱層２８によりタンク２内の温水の保温性が高められており、温水保持効果が向上している。外タンク２ｐは一体成形されており、外周壁２５ｐと、外周壁２５ｐに連続する外閉止壁２４ｐとをもつ。内タンク２ｉは一体成形されており、外周壁２５ｐに対向する内周壁２５ｉと、外閉止壁２４ｐに対向するように内周壁２５ｉに連続する内閉止壁２４ｉとをもつ。外タンク２ｐおよび内タンク２ｉの材質は特に限定されず、金属または硬質樹脂が採用される。金属としてのステンレス鋼、炭素鋼が例示される。
【００１７】
ヒータ３はヒータ端子３ｘをもち、タンク２に設けられており、特にタンク２の閉鎖蓋２３に取り付けられている。ヒータ３は、貯水室２１の水を加熱して温水とする。ヒータ３は貯水室２１の下部に配置されており、タンク２の底壁２ｘに接近しつつタンク２の底壁２ｘに沿って、閉鎖蓋２３から閉止壁２４に向けて配置されている。図１に示すように、ヒータ３の先端部３ｅは隙間空間５４を介してタンク２の閉止壁２４に接近している。ここで、ヒータ３が底壁２ｘに沿って配置されているのは、貯水室２１では、暖かい温水は比重差により上側に移行し、冷水は比重差によりタンク２の底壁２ｘ付近に溜まる。このためタンク２の貯水室２１の底壁２ｘ付近の水を効率よく加熱させるためである。ヒータ３は、これの先端部３ｅが閉止壁２４に接近するにつれて下降傾斜するように配置されているため、貯水室２１の下側の水を加熱するのに有利となる。
【００１８】
なお、ヒータ３のうち貯水室２１に挿入されている部分の全長Ｌ（図１参照）とすると、ヒータ３の発熱部３ｆは、ヒータ３の先端部３ｅから（５／６〜１／２）×Ｌ程度の長さの領域とされている。冷水が供給される給水口５７側を効率よく加熱するためである。但し発熱部３ｆの長さは上記値に限定されるものではない。
【００１９】
出湯部４は閉鎖蓋２３に設けられている。出湯部４は、貯水室２１に対面する出湯口４１をもつ。出湯口４１は、貯水室２１の温水を局部洗浄部３００（洗浄ノズル）に向けて吐出する。出湯部４の出湯口４１は、閉鎖蓋２３のうち上部側に、つまりタンク２の上部側に設けられている。貯水室２１の内部では下部よりも上部の方が暖かいため、洗浄処理の際に、暖かい温水を出湯部４から吐出させるのに有利だからである。
【００２０】
給水部５は、出湯部４よりも下方に位置するように閉鎖蓋２３に設けられており、水道水をタンク２の貯水室２１に給水する。本明細書では、ヒータ３で加熱される前の水を冷水とする。給水部５は、閉鎖蓋２３からタンク２の閉止壁２４に向けて延設された第１給水通路５１をもつパイプ状（丸パイプ状）の給水管５２と、給水管５２のうち閉止壁２４に接近している先端部に連結された給水要素５３とを備えている。図１に示すように、給水要素５３は、ヒータ３の先端部３ｅと閉止壁２４との間に位置する隙間空間５４に配置されている。給水管５２の基端部５２ｍはメインバルブ２００を介して水道管側に繋がれている。
【００２１】
図３に示すように、給水要素５３は、上下方向に延設された第２給水通路５５と、第２給水通路５５の上端を閉じる遮蔽壁部５６と、給水要素５３の下端部に設けられたほぼ四角開口状の給水口５７と、透孔５３ｒとをもつ。第２給水通路５５の上部は遮蔽壁部５６で閉じられているため、第２給水通路５５の水は給水要素５３の遮蔽壁部５６よりも上方には直接移動しない。これにより冷水がヒータ３で加熱されないまま、貯水室２１の上方に直ぐに向かうことが抑制されており、温水持続時間を一層高めるのに有利である。
【００２２】
図３に示すように、給水要素５３の第２給水通路５５は、透孔５３ｒを介して第１給水通路５１の他端部に連通している。給水口５７は貯水室２１の底壁２ｘ付近に接近しつつ対向する。給水要素５３は、薄型の箱形状をなしており、タンク２のうち閉止壁２４に対して隙間Ｌ１を形成するように、できるだけ閉止壁２４の内面に接近して配置されている。このため出湯部４の出湯口４１と給水要素５３とを、距離的にできるだけ遠ざけるのに有利となる。なお図１に示すように給水管５２および給水要素５３は、Ｌ字形状あるいはほぼＬ字形状をなし、水の速度を低下させるべく、水を屈曲させて流す。
【００２３】
図１及び図２は、タンク２を高さ方向に沿って切断した図を示す。図１に示すように、タンク２は横方向に配向する中心線ＰＢをもつ。タンク２の中心線ＰＢの中心をＰＣ（タンク２の中心）とすると、給水部５の給水口５７は、タンク２の中心ＰＣを挟むように、出湯部４の出湯口４１に対して対角位置に配置されている。つまり、給水部５の給水口５７及び出湯部４の出湯口４１は、タンク２の貯水室２１の中心ＰＣを挟んでいる。具体的には、出湯部４は、タンク２の中心線ＰＢよりも上側に位置するように閉鎖蓋２３の上部付近に設けられている。これに対して、給水口５７は、タンク２の中心線ＰＢよりも下側に位置するように、タンク２のうち閉鎖蓋２３に対向する閉止壁２４の下端部付近に設けられている。このため、貯水室２１の温水が吐出される出湯部４の出湯口４１と、冷水が貯水室２１に供給される給水口５７とを、貯水室２１において、できるだけ距離的に離して遠ざけることができる。よって、出湯部４の出湯口４１側の暖かい温水と、給水口５７から貯水室２１に供給された冷水とが、直ぐに混じることが抑制される。故に、局部（便局部または女性局部）を洗浄するときに、暖かい温水を出湯部４の出湯口４１から局部洗浄部３００に向けてできるだけ長い時間吐出させるのに有利となり、温水持続効果が向上する。故に、使用者の局部洗浄の時間が長くなるときであっても、洗浄の快適性が維持される。
【００２４】
図１によれば、給水管５２の給水通路５１の向きと、給水要素５３の第２給水通路５５の向きとは、互いに角度θＡで交差された状態とされている。故に、給水通路５１を流れる水を給水要素５３の第２給水通路５５で屈曲するように曲走させて減速させるのに有利である。更に給水通路５１の流路断面積をＳ１とし、給水要素５３の第２給水通路５５の流路断面積をＳ２とすると、Ｓ２はＳ１よりも大きくされている。このため給水通路５１を流れる水が給水要素５３の第２給水通路５５に至ると、流路断面積が増加するため、水の速度は減速される。よって冷水が給水口５７から貯水室２１に急激に噴出されることが抑制される。故に、出湯部４側の暖かい温水と、給水口５７から貯水室２１に供給された冷水とが、直ぐに混ざることが一層抑制される。よって出湯部４側の温水の温度が低下することが抑制され、この意味においても温水持続時間が長くなる。
【００２５】
更に図３に示すように、給水口５７の中心線Ｐ１の延長線とタンク本体２２の底壁２ｘの表面とが角度θ２で交差するように、給水口５７は、タンク本体２２の底壁２ｘに対向しつつ接近している。この場合、角度θ２としては、ほぼ７０〜１２０度の範囲、特に８５〜９５度の範囲で設定することができる。このため給水口５７から吐出された冷水はタンク本体２２の底壁２ｘに当たり、冷水の速度が減速される。この意味においても、出湯部４側の暖かい温水と給水口５７から貯水室２１に供給された冷水とが、直ぐに混ざることが一層抑制される。角度θ２としては、上記した値に限定されるものではなく、更に鋭角に設定しても良いし、更に鈍角に設定しても良い。
【００２６】
本実施形態によれば、図１に示すように、タンク２は、タンク２の貯水室２１の中心線ＰＣが仮想水平線ＨＡに対して、角度θ１傾斜するように配置されている。この結果、傾斜前よりも、閉鎖蓋２３が相対的に一層上側に位置し、且つ、閉止壁２４の下端２４ｕおよび給水口５７が相対的に一層下側に位置するように設定されている。従って、出湯部４の出湯口４１と給水部５の給水口５７とを距離的にできるだけ遠ざけることができる。出湯部４側の暖かい温水と、給水口５７から貯水室２１に供給された冷水とが、直ぐに混ざることが一層抑制される。故に、温水持続時間が長くなり、暖かい温水を出湯部４から局部洗浄部３００に吐出させるのに一層有利となる。上記した角度θ１は適宜選択できるが、例えば３〜４０度程度の範囲内、５〜３５度の範囲内で適宜設定できる。なおタンク２が傾斜しているため、図１に示すように、タンク２の外タンク２ｐ、内タンク２ｉ、給水通路５１、後述するドレン通路６０も、仮想水平線ＨＡ（鉛直線に対して直交する方向）に対して傾斜している。
【００２７】
更にタンク２が傾斜している本実施形態によれば、上記傾斜が設定されていない場合に比較して、貯水室２１に貯められている温水の水面ＷＤ（図１参照）の上方の空間ＷＥの容積が小さくなる利点が得られる。故に貯水室２１の無効容積を小さくし、貯水室２１の有効容積を増加させることができる。この意味においても、貯水室２１に貯める温水量を増加でき、この意味においても温水持続時間を増加させるのに有利となる。
【００２８】
使用の際には、使用者が図略の洗浄スイッチを操作すると、水道管等に繋がるメインバルブ２００（止水栓）が開弁する。すると水道管側の水圧により給水部５の給水通路５１を通して冷水が貯水室２１に向けて自動的に供給される。冷水は閉止壁２４側に向けて流れ、更に第２給水通路５５で角度θＡ相当ぶん方向転換されて下向きとなり、更に給水口５７から貯水室２１のうち底壁２ｘ付近に向けて供給される。すると、貯水室２１内の出湯部４の出湯口４１付近の温水は、新たに給水される水量に相当するぶん、出湯口４１から局部洗浄部３００に向けて自動的に押し出され、人体の局部の洗浄に使用される。
【００２９】
ここで、貯水室２１のうち底壁２ｘ付近に給水口５７から供給された冷水は、底壁２ｘに貯まるが、ヒータ３に接近しているため、ヒータ３の発熱部３ｆにより加熱される。加熱された温水は、比重差により貯水室２１の上方に次第に上昇する。本実施形態によれば、出湯部４の出湯口４１および給水部５の給水口５７は、前述したように給水口５７を出湯口４１よりも下方に維持しつつ、貯水室２１において対角位置に配置されている。よって、出湯部４の出湯口４１は給水口５７からできるだけ距離的に離間しているため、給水口５７の冷水と出湯部４の出湯口４１付近の温水とが直ぐに混じることが抑制される。故に、出湯部４の出湯口４１付近の温水の温度は、できるだけ高めに維持され、温水持続時間を増加させるのに有利となる。
【００３０】
さて、メンテナンスや清掃などのため、タンク２の貯水室２１の水をドレンするときがある。前述したように、タンク２を構成する外タンク２ｐは外周壁２５ｐと外閉止壁２４ｐとをもつ。内タンク２ｉは内周壁２５ｉと内閉止壁２４ｉとをもつ。このようにタンク本体２２は、他端側が閉止壁２４（２４ｉ，２４ｐ）とされた２重構造をもつ断熱構造の真空タンクである。このため、真空状の断熱層２８の真空度を長期にわたり良好に確保するためには、タンク本体２２の閉止壁２４の下部２４ｕ付近にドレン吸込口を形成することは好ましくない。
【００３１】
そこで本実施形態では、図５に示すように、貯水室２１の水を排出するためのドレン部材６は、閉止壁２４と反対側に設けられている閉鎖蓋２３を利用して取り付けられている。ドレン部材６は、ドレン通路６０をもつドレン管６１を有する。ドレン管６１は、タンク２のうち、閉鎖蓋２３から閉止壁２４に向けて、横方向に沿って給水管５２と並走するように延設されている。図５に示すように、ドレン管６１の一端部６１ｈは給水管５２の一端部５２ｈと同様に閉鎖蓋２３に接続されている。ドレン管６１の他端部６１ｋは給水管５２の他端部５２ｋと同様に給水要素５３に接続されている。よって給水通路５１およびドレン通路６０は、並走しつつ給水要素５３の第２給水通路５５に連通している。給水要素５３の下面に形成されている給水口５７は、ドレン吸込口６０ｕを兼用している。つまり給水口５７およびドレン吸込口６０ｕは共通化されている。ドレン吸込口６０ｕは貯水室２１に対向しており、タンク２の底壁２ｘに接近しつつ対向している。ここで、タンク２の貯水室２１に水が溜まっているときには、ドレン通路６０にも水が進入している。貯水室２１の水圧がドレン吸込口６０ｕに作用している。故に、ドレン管６１の基端部６１ｍに繋がる排水部６６（図５参照，排水弁）を開放すれば、サイフォン原理により、貯水室２１のうちタンク２の底壁２ｘ付近の水は、ドレン吸込口６０ｕからドレン通路６０に自動的に吸い込まれ、ドレン通路６０を矢印Ｗ２方向に流し、貯水室２１の殆どの水を自動的に排出させることができる。
【００３２】
本実施形態によれば、前述したように、タンク２の横方向に配向する中心線ＰＢが仮想水平線ＨＡに対して角度θ１傾斜するようにタンク２は配置されている。この結果、傾斜前よりも、閉鎖蓋２３が相対的に一層上側に位置し、且つ、ドレン吸込口６０ｕが相対的に一層下側（タンク２のほぼ最下部）に位置する。このため、貯水室２１の最下部付近に水が溜まり易くなるため、貯水室２１の底壁２ｘの最下部付近の水をドレン吸込口６０ｕから吸い込んでドレンさせるのに有利となる。この結果、ドレン処理時に、タンク２の貯水室２１の底壁２ｘの最下部付近に残留する水の量をできるだけ小さくすることができる利点が得られる。
【００３３】
加えて、上記した傾斜により、前述したように、閉鎖蓋２３が相対的に一層上側に且つドレン通路６０のドレン吸込口６０ｕが相対的に一層下側に位置するため、ドレン部材６のドレン吸込口６０ｕに対する水面ＷＤの高さ位置を高くでき、ドレン吸込口６０ｕに作用する水圧を増加させることができる。よって貯水室２１の水圧を利用して貯水室２１の水をドレン通路６０を介してドレンする場合に、ドレン吸込口６０ｕからドレン通路６０への水吸い込み性を高めることができ、タンク２のドレン性を向上させることができる利点が得られる。
【００３４】
図１に示すように、ヒータ３の先端部３ｅはＵ形状とされつつ、ヒータ３のうち最下部とされている。給水口５７はヒータ３の先端部３ｅ付近に配置されているため、給水口５７から貯水室２１に供給された冷水をＵ形状の先端部３ｅにより効果的に加熱させることができる。
【００３５】
図１に示すように、給水管５２およびドレン管６１は、ヒータ３の上方に位置されているものの、ヒータ３から距離ＬＢ離れてヒータ３よりも上方に位置している。従ってヒータ３の発熱量が大きいときであっても、給水管５２およびドレン管６１はヒータ３の熱の影響を受けにくくされている。
【００３６】
更に図２に示すように、給水管５２およびドレン管６１がそれぞれほぼ同じ高さでほぼ平行に貯水室２１内に並走されている。このため、貯水室２１の空間を、出湯部４の出湯口４１側の暖かい温水が存在しやすい第１領域ＫＡと、第１領域ＫＡよりも温度が低い水が存在し易い第２領域ＫＢとを、簡略的に大別する邪魔板部材として機能することが期待される。
【００３７】
なお本実施形態によれば、図４に示すように、ヒータフランジ９０と、貯水室２１の水の温度を測定する温度センサ９１（サーミスタ）と、温度ヒューズ９２、過熱防止用の安全スイッチ９３、逆流防止用のバキュームブレーカ９４とがタンク２の閉鎖蓋２３に設けられている。
【００３８】
なお、ドレン管６１および給水管５２の双方は、閉鎖蓋２３と給水要素５３との間において互いに並走されているため、ドレン管６１および給水管５２のうちのいずれか一方のみの場合に比較して、給水要素５３の支持強度を高める効果も期待できる。
【００３９】
（実施形態２）
本発明の実施形態２について図７を参照して説明する。実施形態２は実施形態１と基本的には共通の構成および共通の作用効果を有する。但し、給水管５２は、給水管５２の長さ方向に沿って延設されたフランジ状または羽根状の第１邪魔板部材７ａをもつ。第１邪魔板部材７ａは給水管５２の軸直角方向の外方に延設されている。ドレン管６１は、ドレン管６１の長さ方向に沿って延設されたフランジ状または羽根状の第２邪魔板部材７ｂをもつ。第２邪魔板部材７ｂは給水管５２の軸直角方向の外方（矢印Ｋ１，Ｋ２方向）に延設されている。これにより、貯水室２１の底壁２ｘ側の冷水と貯水室２１の上部の温水（出湯部４の出湯口４１付近の温水が下降することが抑制されている。よって洗浄処理時における温水持続時間を長くするのに有利となる。第１邪魔板部材７ａおよび第２邪魔板部材７ｂは貯水室２１内を完全に仕切っているものではないので、ヒータ３で加熱された温水が上側に移動する流路は確保されている。なお、第１邪魔板部材７ａおよび第２邪魔板部材７ｂのうちのいずれか一方のみとしても良い。
【００４０】
（その他）
上記した実施形態では、給水要素５３の下面に形成されている給水口５７は、ドレン吸込口６０ｕを兼用しているが、これに限らす、給水口５７およびドレン吸込口６０ｕを互いに独立して設けても良い。上記した実施形態では、タンク２を仮想水平線ＨＡに対して角度θ１傾斜させているが、これに限らず、タンク２を仮想水平線ＨＡに沿って水平またはほぼ水平に配置していても良い。タンク２は内タンク２ｉと外タンク２ｐとの真空断熱２重構造であるが、単層の構造でも良いし、あるいは、内タンクと中間タンクと外タンクとの３重構造にして断熱性を更に高めても良い。洋式便器に取り付けられる局部洗浄装置に限らず、介護用等のポータブルトイレに取り付けられる局部洗浄装置に使用される温水タンク装置でも良い。本発明は上記し且つ図面に示した実施形態のみに限定されるものではなく、要旨を逸脱しない範囲内で適宜変更して実施可能である。上記した記載から次の技術的思想も把握できる。
【００４１】
（付記項１）開口をもつと共に水が貯まる貯水室を有するタンク本体と前記タンク本体の前記貯水室の開口を閉鎖する閉鎖蓋とをもつタンクと、前記タンクに設けられ前記貯水室の水を加熱して温水とするヒータと、前記閉鎖蓋に設けられた前記貯水室に対面する出湯口をもち前記出湯口から局部洗浄部に向けて吐出する出湯部と、（ｉｖ）前記閉鎖蓋に設けられた前記貯水室に給水する給水部とを具備する局部洗浄装置用の温水タンク装置において、前記給水部は、前記タンク本体のうち前記閉鎖蓋に対向する壁部分に向けて前記閉鎖蓋から延設された給水通路と、前記給水通路の先端に形成され前記貯水室に対向する給水口とをもち、前記タンクを高さ方向に沿って切断した図において、前記給水部の前記給水口は、前記貯水室において前記出湯部の出湯口に対して対角位置で且つ前記出湯部の前記出湯口の下方に配置されていることを特徴とする温水タンク装置。この温水タンク装置は局部洗浄装置以外にも適用可能である。
【００４２】
（付記項２）開口をもつと共に水が貯まる貯水室を有するタンク本体と前記タンク本体の前記貯水室の開口を閉鎖する閉鎖蓋とをもつタンクと、前記タンクに設けられ前記貯水室の水を加熱して温水とするヒータと、前記閉鎖蓋に設けられた前記貯水室に対面する出湯口をもち前記出湯口から局部洗浄部に向けて吐出する出湯部と、（ｉｖ）前記閉鎖蓋に設けられた前記貯水室に給水する給水部とを具備する局部洗浄装置用の温水タンク装置。
【産業上の利用可能性】
【００４３】
本発明は人体の局部を洗浄する局部洗浄装置に利用することができる。
【図面の簡単な説明】
【００４４】
【図１】実施形態１に係り、温水タンク装置の高さ方向に沿って切断した断面図である。
【図２】温水タンク装置の高さ方向に沿って切断した要部の斜視図である。
【図３】温水タンク装置の給水口付近の拡大断面図である。
【図４】閉鎖蓋の側面図である。
【図５】図１のＶ−Ｖ線に沿った断面図である。
【図６】実施形態２に係り、図１のＶ−Ｖ線に沿った断面図である。
【符号の説明】
【００４５】
２はタンクと、２０は開口、２１は貯水室、２２はタンク本体、２３は閉鎖蓋、３はヒータ、４は出湯部、５は給水部、５１は給水通路、５７は給水口、６０はドレン通路を示す。
【図１】
2008050780.tif 000003
【図２】
2008050780.tif 000004
【図３】
2008050780.tif 000005
【図４】
2008050780.tif 000006
【図５】
2008050780.tif 000007
【図６】
2008050780.tif 000008